(57)【要約】【課題】  電気機器の筐体内に備えられる電源回路と筐体との間の絶縁をするための絶縁バリアであって、安価で汎用性が高く、且つ、作業工程の短縮も図られる、取付け構造を簡略化した絶縁バリアを備えた電気機器の提供。【解決手段】  絶縁バリア１０の絶縁板１１を、１次側回路部分２２ａの構成部品５１とキャビネット２１との間に所定の沿面距離が生じるように形成すると共に、側面部１２に、ケーブル固定用ブッシュ２３と嵌合させるための取付け開口部を１２ａを形成し、当該取付け開口部１２ａを前記ケーブル固定用ブッシュ２３と嵌合させることにより電気機器２０に取付ける。【選択図】      図２
2005236185.tif 000002
【特許請求の範囲】
【請求項１】
電気機器の筐体と当該電気機器の筐体内に備えられる電源回路との間の絶縁をするために前記電気機器の筐体内に備えられる絶縁バリアであって、前記筐体にケーブル固定用ブッシュを備えた電源コードを引出すための電源コード引出し開口部を設け、当該電源コード引出し開口部と嵌合する前記ケーブル固定用ブッシュを前記電源コードに装着するとともに、前記絶縁バリアに前記ケーブル固定用ブッシュとの取付け開口部を形成し、前記ケーブル固定用ブッシュを前記筐体の電源コード引出し開口部と前記絶縁バリアの取付け開口部に嵌合させることにより、前記絶縁バリアが筐体に取付けられることを特徴とする取付け構造を簡略化した絶縁バリアを備えた電気機器。
【請求項２】
前記ケーブル固定用ブッシュに環状の溝部を形成し、この溝部を前記電源コード引出し開口部と前記取付け開口部に嵌め入れて前記絶縁バリアが筐体に取付けられることを特徴とする請求項１記載の取付け構造を簡略化した絶縁バリアを備えた電気機器。
【請求項３】
前記絶縁バリアが、前記筐体と前記電源回路の１次側回路を構成する構成部品との間が少なくとも所定の沿面距離を有するように形成された板状の絶縁物と、当該絶縁物と略直交する前記取付け開口部を有する板状の側面部とを備えたことを特徴とする請求項１又は請求項２記載の取付け構造を簡略化した絶縁バリアを備えた電気機器。
【請求項４】
請求項３記載の取付け構造を簡略化した絶縁バリアを備えた電気機器であって、前記板状の絶縁物及び前記板状の側面部がポリカーボネイトにより一体成形され、前記板状の絶縁物の板厚が０．５ｍｍ以上であることを特徴とする取付け構造を簡略化した絶縁バリアを備えた電気機器。
【請求項５】
請求項３記載の取付け構造を簡略化した絶縁バリアを備えた電気機器であって、前記板状の絶縁物及び前記板状の側面部が塩化ビニルにより一体成形され、前記板状の絶縁物の板厚が０．４２ｍｍ以上であることを特徴とする取付け構造を簡略化した絶縁バリアを備えた電気機器。
【発明の詳細な説明】
【技術分野】
【０００１】
本発明は、電気機器の筐体と当該電気機器の筐体内に備えられる電源回路との間の絶縁をするために電気機器の筐体内に備えられる絶縁バリアを備えた電気機器に関するものである。
【背景技術】
【０００２】
近年の電気機器は、商品の競争力を高めるために、製品の小型化や薄型化が進んでいる。このような小型化や薄型化が図られた電子機器等の内部においては空間的な余裕がなく、種々の装置や部品が高密度で装着されることとなり、当然に、当該電子機器等の構成部品を納める外箱である筐体と、筐体内に納められる部品との間隔も狭いものとなっている。
【０００３】
一方で、人が触れる部分（すなわち電気機器の筐体）と商用電源電圧の１次側回路などの高圧部分との間には安全規格で定められた所定の絶縁距離が必要とされている。
【０００４】
従って、安全規格で定められた所定の絶縁距離を、空間距離で満足しようとしたのでは、当該空間距離の分の空間を電気機器内に設ける必要があり、製品の小型化・薄型化を満足することができなくなる。そこで、電気機器の筐体と商用電源電圧の１次側回路などの高圧部分との間に絶縁物を挿入することで、筐体と高圧部との間の沿面距離を大きくし、これにより安全規格で定められた所定の絶縁距離を満足しつつ、製品の小型化・薄型化をも満足させることが従来行われている。
【０００５】
電子機器の内部に設けられる絶縁物に関する従来技術として、特許文献１によって、電子機器の回路基板の遮蔽板を絶縁する絶縁シートの取付け構造に関するものが開示されている。又、特許文献２には、電源回路基板と第1・第２信号回路処理基板との配置構造により、絶縁板の固定を容易とする技術が開示されている。
【０００６】
【特許文献１】特開平１１−２７４７８６号公報
【特許文献２】特開平１１−３０７９５８号公報
【発明の開示】
【発明が解決しようとする課題】
【０００７】
上述したごとく、安全規格で定められた所定の絶縁距離を満足しつつ、製品の小型化・薄型化をも満足させるために、電気機器の筐体と商用電源電圧の１次側回路などの高圧部分との間に絶縁物を挿入することが従来行われている。この場合当然に、当該絶縁物を電気機器に固定する必要があり、当該固定方法をビス止めや両面テープによる接着などによった場合には、作業性の問題や、部品点数の増加及び固定部の加工や設計変更などによるコストの増加という問題があった。
【０００８】
特許文献１や特許文献２によって開示される絶縁物の取付け構造によれば、ビス止めや両面テープでの接着による場合などに比べて、ビス等の新たな部品を要しないため、その面ではコストの低減が図られるものであるが、別途基板の加工や遮蔽板の加工が必要となると共に、組付け時の作業性も良好なものであるとはいえなかった。
【０００９】
本発明は上述した問題点に鑑みてなされたものであり、安価で汎用性が高く、且つ、作業工程の短縮も図られる、取付け構造を簡略化した絶縁バリアを備えた電気機器を提供することを目的とする。
【課題を解決するための手段】
【００１０】
請求項１の取付け構造を簡略化した絶縁バリアを備えた電気機器は、電気機器の筐体と当該電気機器の筐体内に備えられる電源回路との間の絶縁をするために前記電気機器の筐体内に備えられる絶縁バリアであって、前記筐体にケーブル固定用ブッシュを備えた電源コードを引出すための電源コード引出し開口部を設け、当該電源コード引出し開口部と嵌合する前記ケーブル固定用ブッシュを前記電源コードに装着するとともに、前記絶縁バリアに前記ケーブル固定用ブッシュとの取付け開口部を形成し、前記ケーブル固定用ブッシュを前記筐体の電源コード引出し開口部と前記絶縁バリアの取付け開口部に嵌合させることにより、前記絶縁バリアが筐体に取付けられることを特徴とする。
【００１１】
上記構成によれば、取付け構造を簡略化した絶縁バリアに設けられた取付け開口部を、電気機器の電源コードに備えられているケーブル固定用ブッシュと嵌合させることによって、当該取付け構造を簡略化した絶縁バリアが、電気機器に固定される。
【００１２】
請求項２の取付け構造を簡略化した絶縁バリアを備えた電気機器は、請求項１記載の取付け構造を簡略化した絶縁バリアを備えた電気機器であって、前記ケーブル固定用ブッシュに環状の溝部を形成し、この溝部を前記電源コード引出し開口部と前記取付け開口部に嵌め入れて前記絶縁バリアが筐体に取付けられることを特徴とする。
【００１３】
請求項３の取付け構造を簡略化した絶縁バリアを備えた電気機器は、請求項１または請求項２記載の取付け構造を簡略化した絶縁バリアを備えた電気機器であって、前記絶縁バリアが、前記筐体と前記電源回路の１次側回路を構成する構成部品との間が少なくとも所定の沿面距離を有するように形成された板状の絶縁物と、当該絶縁物と略直交する前記取付け開口部を有する板状の側面部とを備えたことを特徴とする。
【００１４】
上記構成によれば、板状の側面部に形成された取付け開口部が、電気機器の電源コードに備えられているケーブル固定用ブッシュと嵌合されて、当該取付け構造を簡略化した絶縁バリアが、電気機器に固定されることにより、当該電気機器の筐体と電源回路の１次側回路を構成する構成部品との間には、少なくとも所定の沿面距離が形成される。
【００１５】
請求項４の取付け構造を簡略化した絶縁バリアを備えた電気機器は、請求項３記載の取付け構造を簡略化した絶縁バリアを備えた電気機器であって、前記板状の絶縁物及び前記板状の側面部がポリカーボネイトにより一体成形され、前記板状の絶縁物の板厚が０．５ｍｍ以上であることを特徴とする。
【００１６】
上記構成によれば、板状の絶縁物が０．５ｍｍ以上の厚さのポリカーボネイトにより形成され、当該板状の絶縁物の絶縁性及び難燃性が満足される。
【００１７】
請求項５の取付け構造を簡略化した絶縁バリアを備えた電気機器は、請求項３記載の取付け構造を簡略化した絶縁バリアを備えた電気機器であって、前記板状の絶縁物及び前記板状の側面部が塩化ビニルにより一体成形され、前記板状の絶縁物の板厚が０．４２ｍｍ以上であることを特徴とする。
【００１８】
上記構成によれば、板状の絶縁物が０．４２ｍｍ以上の厚さの塩化ビニルにより形成され、当該板状の絶縁物の絶縁性及び難燃性が満足される。
【発明の効果】
【００１９】
請求項１記載の、電気機器の筐体と当該電気機器の筐体内に備えられる電源回路との間の絶縁をするために前記電気機器の筐体内に備えられる絶縁バリアであって、前記筐体にケーブル固定用ブッシュを備えた電源コードを引出すための電源コード引出し開口部を設け、当該電源コード引出し開口部と嵌合する前記ケーブル固定用ブッシュを前記電源コードに装着するとともに、前記絶縁バリアに前記ケーブル固定用ブッシュとの取付け開口部を形成し、前記ケーブル固定用ブッシュを前記筐体の電源コード引出し開口部と前記絶縁バリアの取付け開口部に嵌合させることにより、前記絶縁バリアが筐体に取付けられることを特徴とする取付け構造を簡略化した絶縁バリアを備えた電気機器によれば、当該取付け構造を簡略化した絶縁バリアの取付け開口部を、電気機器の電源コードにもともと備えられているケーブル固定用ブッシュと嵌合させることによって、当該取付け構造を簡略化した絶縁バリアが、電気機器に固定されるため、ビス止めや両面テープでの接着などにより絶縁バリアを電気機器に固定する場合などに比べて、ビス等の新たな部品を要しないためコストの低減が図られる。また、他の構成部品の改変（ビス止めのためのネジ穴を新たに設ける、或いは絶縁シートを保持するためのスリットを新たに設ける等）を必要としないため、コスト削減が図られると共に汎用性が高い。さらに、取付け開口部をケーブル固定用ブッシュと嵌合させることのみによって当該取付け構造を簡略化した絶縁バリアが電気機器に固定されるため、作業性に優れる。
【００２０】
請求項３記載の、前記絶縁バリアが、前記筐体と前記電源回路の１次側回路を構成する構成部品との間が少なくとも所定の沿面距離を有するように形成された板状の絶縁物と、当該絶縁物と略直交する前記取付け開口部を有する板状の側面部とを備えたことを特徴とする請求項１又は請求項２記載の取付け構造を簡略化した絶縁バリアを備えた電気機器によれば、取付け構造を簡略化した絶縁バリアによって、高圧部分となる電源回路の１次側回路を構成する構成部品と、人が触れる部分である電気機器の筐体との間に所定の沿面距離が作られ、安全規格で定められる所定の絶縁距離を満足させることができると共に、筐体と電源回路との間の空間距離を可及的に短くすることができ、当該電気機器の小型化・薄型化をすることができる。また、絶縁物と略直交する板状の側面部は、最低限取付け開口部が形成される１面だけがあればよく、当該取付け構造を簡略化した絶縁バリアは開放性が高いため、熱を発生する電源回路部分を覆ってしまうことが無く、電源回路部分の温度上昇を増長することが回避される。
【００２１】
請求項４記載の、請求項３記載の取付け構造を簡略化した絶縁バリアを備えた電気機器であって、前記板状の絶縁物及び前記板状の側面部がポリカーボネイトにより一体成形され、前記板状の絶縁物の板厚が０．５ｍｍ以上であることを特徴とする取付け構造を簡略化した絶縁バリアを備えた電気機器によれば、当該取付け構造を簡略化した絶縁バリアが絶縁性の高いポリカーボネイトにより一体成形されるため、絶縁性が満足されると共に低コストであり、且つ、安全規格であるＵＬ９４Ｖ−０の燃焼カテゴリーを有することができ、難燃性も満足される。
【００２２】
請求項５記載の、請求項３記載の取付け構造を簡略化した絶縁バリアを備えた電気機器であって、前記板状の絶縁物及び前記板状の側面部が塩化ビニルにより一体成形され、前記板状の絶縁物の板厚が０．４２ｍｍ以上であることを特徴とする取付け構造を簡略化した絶縁バリアを備えた電気機器によれば、当該取付け構造を簡略化した絶縁バリアが絶縁性の高い塩化ビニルにより一体成形されるため、絶縁性が満足されると共に低コストであり、且つ、安全規格であるＵＬ９４Ｖ−０の燃焼カテゴリーを有することができ、難燃性も満足される。
【発明を実施するための最良の形態】
【００２３】
以下、本発明の具体的実施例について、図面を参照しながら説明する。なお、以下の実施態様は、本発明を具体化する際の一形態であって、本発明をその範囲内に限定するためのものではない。
【実施例１】
【００２４】
図１は本実施例の取付け構造を簡略化した絶縁バリアの、ａ：斜視図、ｂ：側面図、ｃ：正面図である。図２は本実施例の取付け構造を簡略化した絶縁バリアを備える電気機器（ＤＶＤ記録再生装置）の一部を分解した状態の概略を示す斜視図。図３及び図４は本実施例の取付け構造を簡略化した絶縁バリアを備える電気機器の、絶縁バリアの取付け部分を拡大した斜視図であり、図５のａは図４のＡ−Ａ線を含む鉛直平面による断面の概略図であり、ｂは同Ｂ−Ｂ線を含む水平面による断面の概略図である。
【００２５】
図１に示されるように、本実施例の取付け構造を簡略化した絶縁バリア１０（以下、単に絶縁バリア１０）は、矩形に形成された絶縁板（板状の絶縁物）１１の一辺から矩形に形成された板状の側面部１２を略直交するように屈曲させてＬ型に形成され、側面部１２には取付け開口部１２ａが下方から矩形に切込まれることによって形成される。なお、本実施例の絶縁バリア１０は、絶縁板１１及び側面部１２が共に板厚０．５ｍｍで、ポリカーボネイトにより一体成形される。
【００２６】
本実施例の取付け構造を簡略化した絶縁バリアを備えた電気機器の具体例であるＤＶＤ記録再生装置２０は、図２に示されるように、ディスク装置２７・電源回路基板２２・映像及び音声信号を処理する回路を備える基板２６・外部入出力信号等を処理する基板２８等を構成部品として備え、これらの構成部品が筐体内に納められる。筐体はシャーシ２４・フロントパネル２５・キャビネット２１等によって構成される。なお、電源回路基板２２・映像及び音声信号を処理する回路を備える基板２６・外部入出力信号等を処理する基板２８等は図面では簡単化しているが、構造的には回路パターンが印刷されたプリント基板上に種々の電気・電子部品などが実装されたものである。また、電源回路基板２２上の１次側回路部分２２ａは商用電源電圧の１次側回路が構成される部分である。
【００２７】
絶縁バリア１０は、図３及び図４に示されるように、取付け開口部１２ａが、電源コード引出し開口部３１と共に、ケーブル固定用ブッシュ２３に形成した環状の溝部２３ｂと嵌合されることによって、ＤＶＤ記録再生装置２０に組み付けられる。従って、図５ｂに示されるように取付け開口部１２ａの幅ｄはケーブル固定用ブッシュ２３のつば部２３ａの幅ｅより狭く、同溝部２３ｂの幅ｆより広くなるように形成される。
【００２８】
また、絶縁バリア１０の絶縁板１１は、図２及び図５ａに示されるように、ＤＶＤ記録再生装置２０に組み付けられた状態で、少なくとも電源回路基板２２の１次側回路部分２２ａを構成する構成部品５１と、キャビネット２１との間が所定の沿面距離ｂを有することとなるような大きさで形成される。「所定の沿面距離」の具体例は６ｍｍであり、沿面距離ｂが６ｍｍを越えるように絶縁板１１が形成されることにより、ＤＶＤ記録再生装置２０は、高圧部（１次側回路部分２２ａを構成する構成部品５１）と人が触れる部分（キャビネット２１）との絶縁距離を６ｍｍ以上有することができ、空間距離ａを可及的に短くすることができる。なお、構成部品５１とは、１次側回路部分２２ａの特定の部品のみを示すというものではなく、１次側回路部分２２ａを構成する任意の構成部品と、キャビネット２１との間で所定の沿面距離（本実施例では６ｍｍ以上）を有するようにするという趣旨である。
【００２９】
上記した構成によれば、絶縁バリア１０を電気機器（ＤＶＤ記録再生装置２０）に取付ける手段において、ビスや両面テープ等の新たな部品を要しないと共に、シャーシ２４やキャビネット２１または電源回路基板２２などを新たに加工等する必要が無いため、コストが安く、尚且つ、汎用性が高い。また、図３及び図４に示されるように、シャーシ２４の電源コード引出し開口部３１に嵌合されたケーブル固定用ブッシュ２３に、取付け開口部１２ａを上部からスライドさせるように嵌合させることのみにより、当該電源バリア１０を電気機器（ＤＶＤ記録再生装置２０）に取付けることができるため、作業性に優れる。さらに、前述したごとく所定の絶縁距離を満足したまま空間距離ａ（１次側回路部分２２ａを構成する任意の構成部品とキャビネット２１との距離）を可及的に短くすることができるため、ＤＶＤ記録再生装置２０の小型化・薄型化が可能となる。加えて、絶縁バリア１０は電源回路基板２２を密閉するような構造ではなく、開放的な形状であるため、電源回路基板２２の温度上昇を増長するといった不利益がほとんどない。
【００３０】
本実施例においては、絶縁板１１及び側面部１２を一体成形しているが、本発明をこれに限るものではなく、絶縁板１１と側面部１２とを別体で成形した後に接合するものであってもよく、従って、絶縁板１１と側面部１２とが異なる素材であることを妨げるものではない。また、両者の板厚が異なるものであってもよい。
【実施例２】
【００３１】
図６は本実施例の取付け構造を簡略化した絶縁バリアの、ａ：斜視図、ｂ：側面図、ｃ：正面図である。なお、電気機器の具体例を実施例１と同一のＤＶＤ記録再生装置２０とし、実施例１と同一の符号を使用し、ここでの説明を省略する。
【００３２】
図６に示されるように、本実施例の取付け構造を簡略化した絶縁バリア６０（以下、単に絶縁バリア６０）は、矩形に形成された絶縁板（板状の絶縁物）６１と、矩形に形成された板状の側面部６２とが、双方の一辺で略直交するように形成され、側面部６２には導入開口部６２ｂが下方から矩形に切込まれることによって形成され、さらに導入開口部６２ｂの最深部に取付け開口部６２ａが矩形に切込まれることによって形成される。なお、本実施例の絶縁バリア６０は、絶縁板６１及び側面部６２が共に板厚０．４２ｍｍで、塩化ビニルにより一体成形される。
【００３３】
絶縁バリア６０の絶縁板６１が、ＤＶＤ記録再生装置２０に組み付けられた状態で、少なくとも電源回路基板２２の１次側回路部分２２ａを構成する構成部品５１と、キャビネット２１との間が所定の沿面距離を有するように形成されるのは実施例１と同様の概念であるのでここでの説明を省略する。
【００３４】
側面部６２に形成される導入開口部６２ｂの幅ｇは、ケーブル固定用ブッシュ２３のつば部２３ａの幅ｅより広く形成され、取付け開口部６２ａの幅ｈは、実施例１と同様に、ケーブル固定用ブッシュ２３のつば部２３ａの幅ｅより狭く、同溝部２３ｂの幅ｆより広くなるように形成される。このような構成により、絶縁バリア６０をＤＶＤ記録再生装置２０の上部からスライドさせるように嵌合させて固定する作業において、導入開口部６２ｂの部分ではケーブル固定用ブッシュ２３と嵌合させながらスライドさせる必要が無く、取付け開口部６２ａの部分のみでケーブル固定用ブッシュ２３と嵌合させながらスライドさせることにより、絶縁バリア６０をＤＶＤ記録再生装置２０に組付けることができるため、より作業性に優れる。
【実施例３】
【００３５】
図７は本実施例の取付け構造を簡略化した絶縁バリアの、ａ：斜視図、ｂ：側面図、ｃ：正面図である。なお、電気機器の具体例を実施例１と同一のＤＶＤ記録再生装置２０とすることで、実施例１と同一の符号を使用し、ここでの説明を省略する。又、本実施例の絶縁バリア７０は絶縁板及び側面部が共に板厚０．５ｍｍで、ポリカーボネイトにより一体成形され、絶縁板１１は実施例１と同様の構成であるため、同一の符号を使用し、ここでの説明を省略する。
【００３６】
図７に示されるように、本実施例の取付け構造を簡略化した絶縁バリア７０（以下、単に絶縁バリア７０）は、矩形に形成された板状の絶縁板１１と、矩形に形成された板状の側面部７２とが、双方の一辺で略直交するように形成され、側面部７２には、取付け開口部７２ａが、側面から矩形に切込まれることによって形成される。取付け開口部７２ａの高さｊは、ケーブル固定用ブッシュ２３のつば部２３ａの高さｋより短く、同溝部２３ｂの高さｌより長くなるように形成されるのは、実施例１及び実施例２と同様の概念である。
【００３７】
上記構成により、絶縁バリア７０のＤＶＤ記録再生装置２０への取付けは、シャーシ２４の電源コード引出し開口部３１に嵌合されたケーブル固定用ブッシュ２３に、取付け開口部７２ａを横方向にスライドさせるように嵌合させることにより行われる。電気機器によっては、シャーシの上端部が内側に直角に折曲げられたような、折返し部分があるものもあり、このようなものには実施例１のように、絶縁バリアをシャーシの上部からケーブル固定用ブッシュに嵌合させながらスライドさせることが難しい或いは出来ない場合があるが、本実施例の絶縁バリア７０によれば、このようなシャーシ上端部に折返し部分がある電気機器に対しても有効に適用することができる。
【００３８】
以上、理解の容易のために電気機器としてＡＶ機器であるＤＶＤ記録再生装置を実施例として説明したが、本発明はＡＶ機器に限られるものではなく、家庭用熱器具、冷暖房器具などを含む電気機器であり、ＡＶ機器とは例えば、テレビ、ＶＴＲ、ＤＶＤ再生／記録装置、ＨＤＤ再生／記録装置、ラジオ、ＲＥＣＯＲＤ  ＰＬＡＹＥＲ、ＣＡＳＥＴＴＥ  ＤＥＣＫ、ＨＯＭＥ  ＴＨＥＡＴＥＲ  ＳＹＳＴＥＭ、ＡＵＤＩＯ  ＣＯＭＰＯＮＥＮＴ  ＳＹＳＴＥＭ、ＡＶアンプ、ＭＤ記録／再生装置、ＬＡＳＥＲ  ＤＩＳＣ  ＰＬＡＹＥＲなどである。家庭用熱器具とは例えば、電子レンジ、オーブンレンジ、トースター、ＩＨクッキングヒーター、アイロンなどであり、冷暖房器具とは、例えば、エアコン、ファンヒーター、電気毛布、電気カーペット、扇風機などである。さらに本発明に係る電気機器は、冷蔵庫、洗濯機、布団乾燥機、衣類乾燥機、除湿機、加湿器、ウォシュレット付き便座、換気システム、パソコン、携帯電話、電話、時計、デジタルカメラ、ビデオカメラ、掃除機、ゲーム機、プロジェクターなどを含むものである。
【図面の簡単な説明】
【００３９】
【図１】実施例１の取付け構造を簡略化した絶縁バリアの、ａ：斜視図、ｂ：側面図、ｃ：正面図
【図２】実施例１のＤＶＤ記録再生装置の一部を分解した状態の概略を示す斜視図
【図３】実施例１のＤＶＤ記録再生装置の、絶縁バリア１０の取付け部分を拡大した分解斜視図
【図４】実施例１のＤＶＤ記録再生装置の、絶縁バリア１０の取付け部分を拡大した斜視図
【図５】ａ：図４のＡ−Ａ線断面図、ｂ：図４のB−B線断面図
【図６】実施例２の取付け構造を簡略化した絶縁バリアの、ａ：斜視図、ｂ：側面図、ｃ：正面図
【図７】実施例３の取付け構造を簡略化した絶縁バリアの、ａ：斜視図、ｂ：側面図、ｃ：正面図
【符号の説明】
【００４０】
１０、６０、７０  取付け構造を簡略化した絶縁バリア
１１、６１  絶縁板（板状の絶縁物）
１２、６２、７２  側面部
１２ａ、６２ａ、７２ａ  取付け開口部
６２ｂ  導入開口部
２０  ＤＶＤ記録再生装置
２１  キャビネット（筐体）
２２  電源回路基板
２２ａ  １次側回路部分
２３  ケーブル固定用ブッシュ
２４  シャーシ（筐体）
２９  電源コード
３１  電源コード引出し開口部
５１  電源回路構成部品
【図１】
2005236185.tif 000003
【図２】
2005236185.tif 000004
【図３】
2005236185.tif 000005
【図４】
2005236185.tif 000006
【図５】
2005236185.tif 000007
【図６】
2005236185.tif 000008
【図７】
2005236185.tif 000009